(57)【特許請求の範囲】
【請求項１】
基材から直立する複数のフック部材を有するフックファスナー層と、
同フックファスナー層の前記フック部材間に配せられると共に保持される磁気誘引性エレメントと、
を備えてなり、
前記磁気誘引性エレメントがフック部材により保持され、その磁気力により目的物に固定することができることを特徴とするフックファスナー装置。
【請求項２】
前記磁気誘引性エレメントが前記フック部材の頭部裏面に位置する突出棚によって保持されていることを特徴とする請求項１記載のフックファスナー装置。
【発明の詳細な説明】
【０００１】
【発明の属する技術分野】
本発明は、フック及びループファスナーストリップに関し、特に、ファスナーストリップの係合部側のフック間に配されて、保持される磁気誘引性エレメントを備えたフックファスナーストリップに関する。
【０００２】
【従来技術】
従来から、目的物に対して、通常は目的物としての成形加工型に対して磁気力によって固定されることが可能な、様々なファスナーストリップが提案されている。これらのファスナーストリップの磁気誘引性エレメントとしては、以下のものが挙げられる。
【０００３】
磁気粒子を用いたものとしては、ファスナー裏面と固定層間に設けた磁気粒子（米国特許第４，５６３，３８０号明細書）、汚れからフックを保護する「被覆体」に組み込まれる磁気粒子（米国特許第５，３９３，５８５号明細書）、あるいはフック又はフック基材の可塑性樹脂に混合される磁気粒子（米国特許第５，７２５，９２８号明細書）がある。
【０００４】
磁気ストリップ又はシムを用いたものとしては、ファスナー層とファスナー裏材との間に配したもの（米国特許第４，６７３，５４２号明細書）、又はファスナー裏材とオープンメッシュとの間のいずれかに挿入されるもの（米国特許第５，１１０，６４９号明細書）、ファスナー裏材の内側に組み込まれるもの（米国特許第５，０６１，５４０号明細書）、あるいはフック層の側部に沿って位置するもの（米国特許第４，９３１，３４４号明細書）がある。
【０００５】
これ以外には、ファスナー層又は裏材のいずれかに埋め込まれ、あるいはフックと保護カバーとの間に挿入される「多孔性金属層」を用いたもの（米国特許第５，９４５，１９３号明細書）がある。
【０００６】
また、ファスナーストリップの各端部に位置する金属ステープルを用いたもの（米国特許第５，５００，２６８号明細書）がある。
【０００７】
【発明が解決しようとする課題】
しかしながら、上記全ての方法には、磁気エレメントをファスナーストリップ自体の本体に埋め込み、成形し、もしくは組み込まなければならないといった、大きな欠点がある。これは、不要に複雑な製造工程を導くこととなり、しばしば、磁気エレメントをファスナー層、裏材、保護フックカバー、あるいは他のファスナーストリップ部材に固定するのに接着剤を必要とする。加えて、これらのファスナーストリップは、磁気エレメントがファスナーストリップ自体の一体部分であるため、基本のファスナーストリップの組み立て工程において磁気エレメントを組み込まなければならない。ストリップが組み立てられた後には、ファスナーストリップに磁気エレメントを容易に加えることは出来ない。
【０００８】
従って、本発明の目的及び課題は次の通りである。
本発明は、磁気エレメントをファスナーストリップに素早く簡単に組み込むための方法を提供する。接着剤を必要としないで特別な形状のエレメントによって、磁気誘引性ワイヤー又はストリップを定位置で保持する。
【０００９】
本発明のファスナーストリップは、成形加工型のような、対応する磁気誘引性物質の目的物に効果的に固定されることを可能とする。磁気エレメントには最大限の磁気保持力が作用して、ファスナーストリップのどの面にも簡単に設置することができるようにする。
【００１０】
磁気誘引性ワイヤー又はストリップは、基本のファスナーストリップ組み立て工程の途中、あるいは後でも配することにより、製造工程に順応性を与えることができるようにする。
このように、本発明は、磁気エレメントをファスナーストリップに素早く簡単に組み込むための方法を提供することを目的及び課題としている。
【００１１】
【課題を解決するための手段及び作用効果】
上記目的及び課題は、以下の事項を備えた本願各請求項に係わる発明により効果的に達成される。
【００１２】
即ち、請求項１に係わる発明の主要な構成は、基材から直立する複数のフック部材を有するフックファスナー層と、同フックファスナー層の前記フック部材間に配せられる共に保持される磁気誘引性エレメントと、を備えてなり、磁気力により目的物に固定することができることを特徴とするフックファスナー装置にある。
【００１３】
この発明では、磁気誘引性エレメントがファスナーストリップの表面に形成したフック間に挿入されて保持されており、同磁気誘引性エレメントによってファスナーストリップを成形加工型の磁気を備えた凹部、あるいは対応する磁気誘引性の目的物に固定することができる。
【００１４】
更に、請求項１の構成に加えて、各フック部材は、それぞれ軸部と頭部とを備えてなること、磁気誘引性エレメントが前記フック部材の頭部裏面に位置する突出棚によって保持されていることが好ましい。前記磁気誘引性エレメントは、長尺のワイヤーあるいは長尺のストリップであることが望ましく、或いは連結部材により連結された複数のランナーを有する長尺のストリップであってもよい。
【００１５】
また、本発明のフックファスナー装置は、長尺のファスナーストリップを備えており、複数の前記磁気誘引性エレメントを同長尺のファスナーストリップの長手方向に沿って向かい合った両縁の前記フック部材間に配し、あるいは、複数の前記磁気誘引性エレメントを同長尺のファスナーストリップの範囲にわたり略均等に配し、更には、複数の前記磁気誘引性エレメントを同長尺のファスナーストリップの長手方向の中央部に沿って配したことを特徴としている。
【００１６】
本発明によれば、特別な形状のフックが、磁気誘引性エレメントとしてのワイヤー又はストリップを定位置で保持するために、接着剤を必要としないで磁気誘引性エレメントを保持することができる。前記磁気誘引性エレメントとしては、長尺のワイヤ形状、ストリップ形状のものを用いることができる。この磁気誘引性エレメントの断面形状は矩形、円形又は正方形に限らず、いかなる断面形状ものを採用することができる。更には、磁気誘引性エレメントとして、連結部材で連結された複数のランナーを有する長尺のストリップ形状を用いることができる。
【００１７】
長尺のファスナーストリップにおいては、複数の前記磁気誘引性エレメントをファスナーストリップの長手方向に沿って向かい合った両縁の前記フック部材間に配することも、複数の前記磁気誘引性エレメントを同長尺のファスナーストリップの範囲にわたりほぼ面内に均一に配することも、更には、複数の前記磁気誘引性エレメントを同長尺のファスナーストリップの長手方向の中央部付近に沿って配することもできる。
【００１８】
かかる構成を採用することにより、磁気エレメントをファスナーストリップのどの面にも簡単に置くことができると共に、磁気誘引性ワイヤー又はストリップを、基本のファスナーストリップ組み立て工程の途中、あるいは後でも載せることができる。従って、製造工程に順応性を与えることができ、本願発明のファスナーストリップは、成形加工型のような、対応する磁気誘引性の目的物に効果的に固定されることが可能となる。
【００１９】
【発明の実施形態】
以下、本発明の好適な実施の形態について添付図面を参照して具体的に説明する。
図１は、磁気誘引性ワイヤーがファスナーストリップのフック間に配されていることを示す本発明の全体的な平面図である。図２は、ワイヤーをフックの下側により保持する方法を示した平面図の部分拡大図である。図３は、ワイヤーのファスナーストリップのフック層における位置及び保持状態ををさらに拡大した端面図である。
【００２０】
図４は、ワイヤーの代わりに磁気誘引性平板状のストリップを使用した、変形例を示す平面図である。図５は、同変形例の端面図である。
図６は、磁気誘引性ワイヤーがファスナーストリップの表面に異なった配置に分散された他の変形例の平面図である。
図７は、磁気誘引性ワイヤーがファスナーストリップの表面に異なった配置に分散された別の変形例の平面図である。
図８及び９は、それぞれ、図４及び５に示されるストリップより幅広の磁気誘引性ストリップがファスナーストリップのフック間に配された更に別の変形例の全面図及び拡大図である。
【００２１】
図１に示すように、長尺のファスナーストリップ１０は、基材１２から直立する複数のフック部材１１を有している。フック部材１１は基材１２と同様の材料で成形することもでき、または個別に形成して基材１２に取り付けることも出来る。断面が円形であり長尺の磁気誘引性ワイヤー１３ａ〜１３ｄは、フック部材１１間に配され、フック部材１１裏面の外側縁部により保持される。
【００２２】
ファスナーストリップ１０を詳細に示している図２及び図３から分かるように、フック部材１１裏面の外側縁部で磁気誘引性ワイヤー１３ａ〜１３ｄを保持する方法が示されている。ここで、フック部材１１の構造に関しては、各フック部材１１は軸１４及び分裂した頭部１５を備えている。頭部１５の外側縁部は、軸１４の側部を越えて突出しており、頭部１５裏面の外側縁部は突出棚１６ａ、１６ｂが形成されている。突出棚１６ａ、１６ｂは、磁気誘引性ワイヤー１３ａ〜１３ｄをファスナーストリップ１０の内側に保持する役目をする。なお、こうした形状のフック構造としてはジョージア州マリエッタのＹＫＫ株式会社により製造されたＤ−７モデルの成形フックがある。
【００２３】
ここでは、ファスナーストリップ１０の組立てについて、以下に簡単に述べる。磁気誘引性ワイヤー１３ａ〜１３ｄをフック部材１１間のスペースに挿入する適当な方法がいくつでも存在することは、当業者にとっては好ましいことである。こうした方法の一つとしては、表面から、すなわち磁気誘引性ワイヤー１３ａ〜１３ｄを隣り合うフック部材１１の外側縁部に置き、下方への圧力を加えることによって磁気誘引性ワイヤー１３ａ〜１３ｄをフック部材１１の間のスペースに配置させることができる。このとき、フック部材１１は弾性力によってお互いに僅かに離れる方向に反り、磁気誘引性ワイヤー１３ａ〜１３ｄを隣り合うフック部材１１の外側縁部間に通す。磁気誘引性ワイヤー１３ａ〜１３ｄがフック部材１１間のスペースに通ったのち、フック部材１１は跳ね返り、磁気誘引性ワイヤー１３ａ〜１３ｄを内部に保持する。このようにして、磁気誘引性ワイヤー１３ａ〜１３ｄをファスナーストリップ１０に嵌めることができる。
【００２４】
他の方法としては、磁気誘引性ワイヤー１３ａ〜１３ｄをファスナーストリップ１０の端部から、フック部材１１間のスペースに差し込むことにより行うことができる。
【００２５】
図４及び５では、磁気誘引性エレメントの変形例についての平面図及び端面図を示している。実施例のような円形断面のワイヤーではなく、矩形断面の長尺の磁気誘引性ワイヤー１７ａ〜１７ｄをフック部材１１の間に配している。他の構成部分及び他の組み立て工程は、上述の実施例の場合と同様であるので、その説明は省略する。
【００２６】
図６及び７では、磁気誘引性ワイヤー１３ａ〜１３ｄがファスナーストリップ１０の表面を異なった配置に分散されるている他の変形例を示している。図６では、実施例の場合のようにファスナーストリップ１０の側部に配されるのではなく、磁気誘引性ワイヤー１３ａ〜１３ｄをファスナーストリップ１０を略均等に分散された形に配されている。図７では、磁気誘引性ワイヤー１３ａ〜１３ｄはファスナーストリップ１０の長手方向の中央部に沿って配されている。他の部分及び他の組み立て工程は、上述の実施例と同様であるので、ここではその説明を省略する。
【００２７】
図８及び９では、幅広の磁気誘引性ストリップ１８が、多数の磁気誘引性ワイヤーやストリップに代わる更に別の変形例を示している。幅広の磁気誘引性ストリップ１８は、連結部材２０により所定間隔で連結される多数のランナー１９ａ〜１９ｃを備えている。連結部材２０は、上述の実施例のようにフック部材１１の隣り合う列間のスペースではなく、フック部材１１の隣り合う行間のスペースに嵌まる。この別の変形例により、一つの工程でより大きな磁気誘引性部分をファスナーストリップに嵌めることができ、多数のワイヤーやストリップを正確な配列に維持した状態でファスナーストリップに取り付ける必要がなくなる。
【００２８】
このように、本発明は、磁気誘引性エレメントをファスナーストリップに組み込む際に大変便利で且つ効果的な方法を提供しており、ファスナーストリップを成形加工型あるいは他の対応する磁気誘引性の目的物に対して磁気力によって固定することができる。
【００２９】
上記の説明は多くの特異性を含んでおり、これらは本発明の範囲に関する限定として解釈されるべきではないが、むしろその実施例の例示として解釈されるべきである。他にも、多くの変更が可能である。変更が可能ないくつかの例について以下に更に示す。
【００３０】
ファスナーストリップは、上記の実施例、変形例に示される矩形ストリップ形だけでなく、円形又は正方形を含む、どんな形のものでも採用することができる。本発明の基本的な概念である、フック自体の間に配され、フック自体により保持される磁気誘引性エレメントは、多くの異なる形状を有するファスナーストリップに対しても適用可能である。
【００３１】
磁気誘引性エレメントの数は特に限定されるものではなく、また実施例や各種変形例に示される位置に限定されるものではなく、ファスナーストリップ面上で異なった配置とすることも可能である。前記磁気誘引性エレメントは長尺である必要はなく、それらがフックに係合し、且つフックにより保持されるのに適当な形状である限りは、例えば、いかなる大きさのいかなる形状の分離した別々のエレメント等を採用することができる。
【００３２】
フックの「頭部」は、ループ材との係合が可能であることを前提に、その形状の様相がワイヤー、ストリップ、もしくは他の磁気誘引性エレメントを保持するのに役に立つ限りは、異なる形状でも構わない。単に一例ではあるが、頭部の裏面を実施例における「球状の棚」ではない異なる形状の棚にすることも出来る。同様に、磁気誘引性エレメントの断面を上述の実施例及び各種変形例に示されるような単なる円筒形のワイヤーや平坦な矩形のストリップではなく、異なった断面形状としてもよい。必要とされることは、フックの表面が磁気誘引性エレメントを保持するのに適切な形状であり、磁気誘引性エレメント自体が同フックにより保持されるのに対応した形状であることだけである。
【００３３】
ファスナーストリップ面の全てのフックが磁気誘引性エレメントを保持する構造を有している必要はない。少なくとも磁気誘引性エレメントが配された領域のフックに磁気誘引性エレメントを保持する構造を備えている必要がある。
【００３４】
リング状の幅広磁気誘引性ストリップをフック層の所望の領域にあるフックの周囲に嵌めることによってフックの外周部としての側部及び端部を形成することができる。また、幅広磁気誘引性ストリップにフック頭部より僅かに小さいスロット又は他の開口部（円形、長円形、矩形など）を有するように構成することも出来る。幅広磁気誘引性ストリップがフック頭部を越えて下方に抑えられると、フック頭部の自然な弾力性によりフック頭部は僅かに変形する。このように、幅広磁気誘引性ストリップはフックを越えた場所に嵌めることができる。
【００３５】
磁気誘引性エレメントは、様々な材料や他の磁気誘引性材料から構成することが可能である。加えて、磁気誘引性エレメント自体が磁気誘引性を備えている、すなわち磁石であることも可能である。これにより、ファスナーストリップをそれ自体は磁石ではない金属、または他の磁気誘引性の目的物に固定することができる。
【００３６】
従って、本発明の範囲は図示例により決定されるべきではなく、添付したクレーム及びそれらの法的均等物により決定される。
【図面の簡単な説明】
【図１】本発明の全体的な平面図である。
【図２】平面図の部分拡大図である。
【図３】端面図の部分拡大図である。
【図４】変形例の平面図である。
【図５】同変形例の端面図である。
【図６】他の変形例の平面図である。
【図７】別の変形例の平面図である。
【図８】更に別の変形例の全面図及び詳細レベル図である。
【図９】更に別の変形例の全面図及び詳細レベル図である。
【符号の説明】
１０            ファスナーストリップ
１１            フック部材
１２            基材
１３ａ〜１３ｄ  磁気誘引性ワイヤー
１４            軸部
１５            頭部
１６ａ、１６ｂ  突出棚
１７ａ〜１７ｄ  磁気誘引性ストリップ（変形例）
１８            幅広磁気誘引性ストリップ（他の変形例）
１９ａ〜１９ｃ  ランナー（別の変形例）
２０            連結部材（更に別の変形例）
【図１】
0003805230.tif 000002
【図２】
0003805230.tif 000003
【図３】
0003805230.tif 000004
【図４】
0003805230.tif 000005
【図５】
0003805230.tif 000006
【図６】
0003805230.tif 000007
【図７】
0003805230.tif 000008
【図８】
0003805230.tif 000009
【図９】
0003805230.tif 000010